(57)【要約】【課題】時刻合わせの利便性を高める。【解決手段】電子機器が、第１の入力部、第２の入力部、第３の入力部及び第４の入力部のうちの２以上の入力部を含む入力装置を有している。時刻合わせを受け付け可能な動作モードであるとき、電子機器の制御部は、第１の入力部、第２の入力部、第３の入力部及び第４の入力部のうちの２以上の入力部の各入力部からの入力を受け付けたことに応じて、電子機器の計時回路の秒を、「１５」、「３０」、「４５」及び「００」のうち、入力を受け付けた各入力部に対応する値に補正する。【選択図】図１
2019168325.tif 000002
【特許請求の範囲】
【請求項１】
第１の入力部、第２の入力部、第３の入力部及び第４の入力部のうちの２以上の入力部を含む入力装置と、
時、分、秒を計時する計時回路と、
前記入力装置からの入力を受け付け可能で、前記計時回路からの出力に基づく時計表示を出力する制御部と、
を具備し、
前記制御部は、時刻合わせを受け付け可能な動作モードであるとき、
前記第１の入力部、前記第２の入力部、前記第３の入力部及び前記第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、
電子機器。
【請求項２】
前記制御部は、時刻合わせを受け付け可能な動作モードであるとき、
前記第１の入力部からの入力を受け付けたことに応じて、前記計時回路の秒を「１５」に補正し、
前記第２の入力部からの入力を受け付けたことに応じて、前記計時回路の秒を「３０」に補正し、
前記第３の入力部からの入力を受け付けたことに応じて、前記計時回路の秒を「４５」に補正し、
前記第４の入力部からの入力を受け付けたことに応じて、前記計時回路の秒を「００」に補正する、
請求項１に記載の電子機器。
【請求項３】
前記第１の入力部、前記第２の入力部、前記第３の入力部及び前記第４の入力部を備え、
前記第１の入力部、前記第２の入力部、前記第３の入力部及び前記第４の入力部は、それぞれ、右、下、左、上に十字状に配置されている、請求項１又は２に記載の電子機器。
【請求項４】
前記電子機器は、時計表示機能と、前記時計表示機能以外のメイン機能とを有し、
前記第１の入力部、前記第２の入力部、前記第３の入力部及び前記第４の入力部は、前記メイン機能では秒の補正の入力とは異なる入力に用いられる、請求項１乃至３のいずれか１項に記載の電子機器。
【請求項５】
前記制御部は、前記第４の入力部からの入力を受け付けたことに応じて、前記計時回路の分を１進めさせる、請求項１乃至４のいずれか１項に記載の電子機器。
【請求項６】
前記入力装置は、テンキーである、請求項１乃至５のいずれか１項に記載の電子機器。
【請求項７】
第１の入力部、第２の入力部、第３の入力部及び第４の入力部のうちの２以上の入力部と、計時回路とを有し、時計機能を備える、電子機器の時刻合わせの方法であって、
時刻合わせを受け付け可能な動作モードであるとき、
前記第１の入力部、前記第２の入力部、前記第３の入力部及び前記第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、電子機器の時刻合わせ方法。
【請求項８】
コンピュータに、
計時回路を有し、時計機能を備える電子機器が時刻合わせを受け付け可能な動作モードであるとき、
前記電子機器の第１の入力部、第２の入力部、第３の入力部及び第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、ことを実行させるためのプログラム。
【発明の詳細な説明】
【技術分野】
【０００１】
本発明は、電子機器、電子機器の時刻合わせ方法及びプログラムに関する。
【背景技術】
【０００２】
ユーザ操作に基づく時刻補正機能を備えた電子機器が一般に知られている。例えば、特許文献１には、時報の「秒」が“００”となるタイミングでリューズを押し込むことによってのみ、時刻合わせが可能な電子機器としての時計が開示されている。
【先行技術文献】
【特許文献】
【０００３】
【特許文献１】特開平１０−１８６０６８号公報
【発明の概要】
【発明が解決しようとする課題】
【０００４】
時報の「秒」が“００”となるタイミングでのみ時刻補正を行うよりも、利便性の高い時刻合わせ方法が求められる。
【０００５】
本発明は、時刻合わせの利便性の高い電子機器、電子機器の時刻合わせ方法及びプログラムを提供することを目的とする。
【課題を解決するための手段】
【０００６】
本発明の一実施形態は、第１の入力部、第２の入力部、第３の入力部及び第４の入力部のうちの２以上の入力部を含む入力装置と、時、分、秒を計時する計時回路と、前記入力装置からの入力を受け付け可能で、前記計時回路からの出力に基づく時計表示を出力する制御部と、を具備し、前記制御部は、時刻合わせを受け付け可能な動作モードであるとき、前記第１の入力部、前記第２の入力部、前記第３の入力部及び前記第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、電子機器である。
【図面の簡単な説明】
【０００７】
【図１】図１は、本発明の一実施形態に係る電子機器の構成の一例を示すブロック図である。
【図２Ａ】図２Ａは、電卓として使用されている電子機器の外観の一例を示す図である。
【図２Ｂ】図２Ｂは、時計として使用されている電子機器の外観の一例を示す図である。
【図３】図３は、時計補正処理の一例を示すフローチャートである。
【図４】図４は、本発明の一実施形態に係る他の電子機器の外観の一例を示す図である。
【発明を実施するための形態】
【０００８】
以下、本発明の実施形態について、図面を参照して説明する。  
図１は、本発明の一実施形態に係る電子機器１の構成の一例を示すブロック図である。電子機器１は、メイン機能として四則演算などの計算機能、すなわち電卓機能を有している。電子機器１は、サブ機能として、時計表示機能を有している。電子機器１は、電卓としてのメイン機能とガジェット表示装置としての時計表示機能などのサブ機能とを併せ持つデバイスである。電子機器１は、時計表示機能付きの電卓であってよい。電子機器１は、例えば、電卓として使用される場合には寝かせた姿勢で使用され、時計として使用される場合には立てた姿勢で使用される。電子機器１は、自立型であってよい。
【０００９】
電子機器１は、ＣＰＵ１０と、ＲＡＭ１２と、ＲＯＭ１４と、時計モジュール１６と、入力装置１８と、表示駆動部（ＤＤ）２０と、表示装置２２とを有している。
【００１０】
ＣＰＵ１０は、電子機器１の各種動作を制御するプロセッサである。ＲＡＭ１２は、データメモリである。ＲＯＭ１４には、各種計算機能を実行するための電卓制御プログラム、時計表示プログラム等の各種プログラム、後述する各種モード等が記憶されている。ＣＰＵ１０は、ＲＯＭ１４に記憶されたプログラムに従って電子機器１の動作を制御し、入力装置１８からの入力を受け付けて入力に応じた各種機能等を実行する。ＣＰＵ１０以外のプロセッサ、例えば、ＡＳＩＣ（Application Specification Integrated Circuit）、ＦＰＧＡ（Field Programmable Gate Array）等が用いられてもよい。
【００１１】
時計モジュール１６は、年、月、日、時、分、秒を計時する計時回路を含む。時計モジュール１６は、年、月、日、時、分、秒の値を保持しており、年、月、日、時、分、秒を示す計時信号をＣＰＵ１０に出力する。時計モジュール１６で計時される年、月、日、時、分、秒は、入力装置１８からの入力信号に基づいてＣＰＵ１０が出力する補正信号により補正可能である。
【００１２】
入力装置１８は、例えば複数の入力キーを含む入力部である。表示装置２２は、例えば液晶ディスプレイである。表示装置２２は、ＣＰＵ１０により動作を制御されるＤＤ２０を介して、ＣＰＵ１０からの出力に応じた電卓表示、時計表示などをする。
【００１３】
電子機器１は、時計表示のほか、カレンダー表示、曜日表示などが可能であってよい。また、電子機器１は、温度センサや湿度センサなどを備え、温度表示や湿度表示が可能であってもよい。
【００１４】
図２Ａは、電子機器１の外観の一例を示す図である。図２Ａでは、表示装置２２には、電卓機能に係わる表示（電卓表示）がされている。本実施形態における電子機器１は、概ね、通常の電卓の外観を備える。
【００１５】
電子機器１は、入力装置１８として、テンキーを含む複数の入力キーを有している。入力キーは、０から９までの数字キー、＋、−、×、÷、＝を含む演算キー、ＡＣキー３６、ＯＦＦキー、時計キー３８などを含む。入力装置１８の各入力キーによる入力操作は、入力信号としてＣＰＵ１０に伝達される。
【００１６】
図２Ｂでは、表示装置２２には時計表示がされている。ここでは、一例として、１４時１分１５秒を表す「１４−０１−１５」が示されている。表示装置２２は、時計表示において常に秒を表示するもののほか、後述する秒の調整（秒合わせ）の入力時にのみ秒を表示するものであってもよい。
【００１７】
電子機器１では、表示ＯＦＦ又は電卓表示状態において、例えばユーザーが時計キー３８を押下すると、時計キー３８の入力操作による入力信号がＣＰＵ１０に伝達される。そして、ＣＰＵ１０は、表示装置２２に時計表示をさせる。また、表示ＯＦＦ又は時計表示状態において、例えばユーザーがＡＣキー３６を押下すると、ＡＣキー３６の入力操作による入力信号がＣＰＵ１０に伝達される。そして、ＣＰＵ１０は、表示装置２２に電卓表示をさせる。
【００１８】
入力キーのうち、数字キーの「６」キーを第１の入力キー２４、「２」キーを第２の入力キー２６、「４」キーを第３の入力キー２８、「８」キーを第４の入力キー３０と称する。第１の入力キー２４、第２の入力キー２６、第３の入力キー２８及び第４の入力キー３０は、それぞれ、数字キーの中心に位置する「５」キーの向かって右、下、左、上に位置している。すなわち、第１の入力キー２４、第２の入力キー２６、第３の入力キー２８及び第４の入力キー３０は、互いに直交する２直線上に十字状に配置された入力部である。また、演算キーのうち、「＋」キーを第５の入力キー３２、「−」キーを第６の入力キー３４と称する。
【００１９】
本実施形態では、第１の入力キー２４、第２の入力キー２６、第３の入力キー２８及び第４の入力キー３０が、時計表示機能での時刻合わせにおける秒の調整（秒合わせ）に用いられる。また、第５の入力キー３２及び第６の入力キー３４が、分の調整（分合わせ）に用いられる。
【００２０】
以下、時計表示中の時刻合わせにおけるＣＰＵ１０の動作について、図３を参照して説明する。図３は、ＣＰＵ１０による時計補正処理の一例を示すフローチャートである。
【００２１】
ステップＳ１１において、ＣＰＵ１０は、表示装置２２が時計表示中であるか否かを判定する。時計表示中であると判定されるまで、ステップＳ１１の処理が繰り返される。時計表示中と判定された場合には（Ｙｅｓ）、処理はステップＳ１２に進む。
【００２２】
ステップＳ１２において、ＣＰＵ１０は、第１の入力キー２４の入力を受け付けたか否かを判定する。第１の入力キー２４の入力を受け付けたと判定された場合には（Ｙｅｓ）、処理はステップＳ１３に進む。受け付けていないと判定された場合には（Ｎｏ）、処理はステップＳ１４に進む。
【００２３】
ステップＳ１３において、ＣＰＵ１０は、時計モジュール１６で計時される時間の秒を１５秒にする処理（１５秒アジャスト処理）を実行する。すなわち、ＣＰＵ１０は、時計モジュール１６の内部に保持される秒の値を１５に調整して、調整された値を表示装置２２に表示させるための信号をＤＤ２０に出力する。これにより、表示装置２２には秒として「１５」が表示される。ステップＳ１３の後、処理はステップＳ２０に進む。
【００２４】
ステップＳ１４において、ＣＰＵ１０は、第２の入力キー２６の入力を受け付けたか否かを判定する。第２の入力キー２６の入力を受け付けたと判定された場合には（Ｙｅｓ）、処理はステップＳ１５に進む。受け付けていないと判定された場合には（Ｎｏ）、処理はステップＳ１６に進む。
【００２５】
ステップＳ１５において、ＣＰＵ１０は、時計モジュール１６で計時される時間の秒を３０秒にする処理（３０秒アジャスト処理）を実行する。すなわち、ＣＰＵ１０は、時計モジュール１６の内部に保持される秒の値を３０に調整して、調整された値を表示装置２２に表示させるための信号をＤＤ２０に出力する。これにより、表示装置２２には秒として「３０」が表示される。ステップＳ１５の後、処理はステップＳ２０に進む。
【００２６】
ステップＳ１６において、ＣＰＵ１０は、第３の入力キー２８の入力を受け付けたか否かを判定する。第３の入力キー２８の入力を受け付けたと判定された場合には（Ｙｅｓ）、処理はステップＳ１７に進む。受け付けていないと判定された場合には（Ｎｏ）、処理はステップＳ１８に進む。
【００２７】
ステップＳ１７において、ＣＰＵ１０は、時計モジュール１６で計時される時間の秒を４５秒にする処理（４５秒アジャスト処理）を実行する。すなわち、ＣＰＵ１０は、時計モジュール１６の内部に保持される秒の値を４５に調整して、調整された値を表示装置２２に表示させるための信号をＤＤ２０に出力する。これにより、表示装置２２には秒として「４５」が表示される。ステップＳ１７の後、処理はステップＳ２０に進む。
【００２８】
ステップＳ１８において、ＣＰＵ１０は、第４の入力キー３０の入力を受け付けたか否かを判定する。第４の入力キー３０の入力を受け付けたと判定された場合には（Ｙｅｓ）、処理はステップＳ１９に進む。受け付けていないと判定された場合には（Ｎｏ）、処理はステップＳ２０に進む。
【００２９】
ステップＳ１９において、ＣＰＵ１０は、時計モジュール１６で計時される時間の秒を００秒にする処理（００秒アジャスト処理）を実行する。すなわち、ＣＰＵ１０は、時計モジュール１６の内部に保持される秒の値を００に調整し、かつ、分の値を１進める調整をして、調整された値を表示装置２２に表示させるための信号をＤＤ２０に出力する。これにより、表示装置２２には秒として「００」が表示される。ステップＳ２０の後、処理はステップＳ２０に進む。
【００３０】
ステップＳ２０において、ＣＰＵ１０は、第５の入力キー３２の入力を受け付けたか否かを判定する。第５の入力キー３２の入力を受け付けたと判定された場合には（Ｙｅｓ）、処理はステップＳ２１に進む。受け付けていないと判定された場合には（Ｎｏ）、処理はステップＳ２２に進む。
【００３１】
ステップＳ２１において、ＣＰＵ１０は、時計モジュール１６で計時される時間の分を１分進める処理を実行する。すなわち、ＣＰＵ１０は、時計モジュール１６の内部に保持される分の値を１進める調整をして、調整された値を表示装置２２に表示させるための信号をＤＤ２０に出力する。これにより、表示装置２２に表示される分が１進められる。ステップＳ２１の後、処理はステップＳ１１に戻る。
【００３２】
ステップＳ２２において、ＣＰＵ１０は、第６の入力キー３４の入力を受け付けたか否かを判定する。第６の入力キー３４の入力を受け付けたと判定された場合には（Ｙｅｓ）、処理はステップＳ２３に進む。受け付けていないと判定された場合には（Ｎｏ）、処理はステップＳ１１に戻る。
【００３３】
ステップＳ２３において、ＣＰＵ１０は、時計モジュール１６で計時される時間の分を１分遅らせる処理を実行する。すなわち、ＣＰＵ１０は、時計モジュール１６の内部に保持される分の値を１遅らせる調整をして、調整された値を表示装置２２に表示させるための信号をＤＤ２０に出力する。これにより、表示装置２２に表示される分が１遅らせられる。ステップＳ２３の後、処理はステップＳ１１に戻る。
【００３４】
上述のようにして、時計表示中に時計補正が行われることができる。なお、時計表示中以外に時計補正が行われてもよい。例えば、サブ機能として時計表示機能以外に温度表示機能や湿度表示機能を備える電子機器の場合に、温度表示中にもステップＳ１２以降の動作に従って時計補正が行えるようにしてもよい。つまり、時計表示中以外であっても、時刻合わせを受け付け可能な動作モードであれば時刻合わせを行うことが可能である。
【００３５】
以下、時計補正時のユーザーの動作について例示する。  
現在の正しい時刻が「ｘ時ｙ分ｚ秒」（ｘ、ｙは任意の数字、ｚは１〜１４のいずれかの数字）の場合、ユーザーは、ｘ時ｙ分１５秒ちょうどに第１の入力キー２４、すなわち「６」キーを押下して時計モジュール１６で計時される時間の秒を１５秒に合わせる。
【００３６】
現在の正しい時刻が「ｘ時ｙ分ｚ秒」（ｘ、ｙは任意の数字、ｚは１６〜２９のいずれかの数字）の場合、ユーザーは、ｘ時ｙ分３０秒ちょうどに第２の入力キー２６、すなわち「２」キーを押下して時計モジュール１６で計時される時間の秒を３０秒に合わせる。
【００３７】
現在の正しい時刻が「ｘ時ｙ分ｚ秒」（ｘ、ｙは任意の数字、ｚは３１〜４４のいずれかの数字）の場合、ユーザーは、ｘ時ｙ分４５秒ちょうどに第３の入力キー２８、すなわち「４」キーを押下して時計モジュール１６で計時される時間の秒を４５秒に合わせる。
【００３８】
現在の正しい時刻が「ｘ時ｙ分ｚ秒」（ｘ、ｙは任意の数字、ｚは４６〜５９のいずれかの数字）の場合、ユーザーは、ｘ時ｙ＋１分００秒ちょうどに第４の入力キー３０、すなわち「８」キーを押下して時計モジュール１６で計時される時間の秒を００秒に合わせる。
【００３９】
例えば、現在の正しい時刻が１４時２０分０１秒であるときにユーザーが時計合わせをしたいと思い立ったとする。時計モジュール１６で計時されている現在の時刻は１４時２０分ｚｚ秒であるとする（ここでのｚｚは００から４５までの任意の数字）。この場合、ユーザーは、１４秒待って１４時２０分１５秒に第１の入力キー２４、すなわち「６」キーを押下する。これにより、時計モジュール１６で計時されている時刻が１４時２０分１５秒に調整される。
【００４０】
例えば、現在の正しい時刻が１４時１９分４６秒であるときにユーザーが時計合わせをしたいと思い立ったとする。時計モジュール１６で計時されている現在の時刻は１４時２０分ｚｚ秒であるとする（ここでのｚｚは００から４５までの任意の数字）。この場合、ユーザーは、１４秒待って１４時２０分００秒に第４の入力キー３０、すなわち「８」キーを押下する。これにより、時計モジュール１６で計時されている時刻が１４時２０分００秒に調整される。
【００４１】
このように、１５秒、３０秒、４５秒、００秒の４通りの秒合わせを用意することで、１５秒未満の待ち時間で秒合わせを行うことが可能となる。
【００４２】
時計モジュール１６で計時されている現在の時刻の分があっていれば、第１の入力キー２４による補正では、１５秒遅れているものから４４秒早いものまでの１５秒アジャスト処理が可能である。第２の入力キー２６による補正では、３０秒遅れているものから２９秒早いものまでの３０秒アジャスト処理が可能である。第３の入力キー２８による補正では、４５秒遅れているものから１４秒早いものまでの４５秒アジャスト処理が可能である。第４の入力キー３０による補正では、１秒早いものから５９秒早いものまでの００秒アジャスト処理が可能である。このような設定であれば、時計表示が早まっている場合の時刻合わせに都合がよい。時計モジュール１６で計時されている現在の時刻の分が合っていれば、１回のキー操作で最大５９秒程度の秒のずれを補正することができる。
【００４３】
本実施形態では、電子機器１は、入力部としての第１の入力キー２４、第２の入力キー２６、第３の入力キー２８及び第４の入力キー３０のうちの２以上を含む入力装置１８と、時、分、秒を計時する計時回路としての時計モジュール１６と、入力装置１８からの入力を受け付け可能で、計時回路からの出力に基づく時計表示を出力する制御部としてのＣＰＵ１０とを有している。ＣＰＵ１０は、時刻合わせを受け付け可能な動作モードであるとき、第１の入力キー２４、第２の入力キー２６、第３の入力キー２８及び第４の入力キー３０のうちの２以上の入力キーの各々からの入力を受け付けたことに応じて、計時回路の秒を、「１５」、「３０」、「４５」及び「００」のうち、入力を受け付けた各入力キーに対応する値に補正する。すなわち、ここまで４つの入力キーに係わる時刻合わせを説明してきたが、少なくとも２つの入力キーに係わる時刻合わせの概念が本実施形態に含まれる。
【００４４】
時計表示機能付きの電子機器における従来の時計補正では、時計の設定モードに入って時刻を設定し、その後にＳＥＴキー等を押下したタイミングで０秒アジャストが行われる。もしくは、０秒アジャストの設定ボタンを備えるものもあるが、例えば正しい時刻が５秒の時にユーザーが時刻合わせを思い立つと、００秒になるまで５５秒待って時刻合わせする必要がある。
【００４５】
これに対して、本実施形態によれば、おおよそ１回のキー操作で、短い待ち時間で時刻合わせを行うことができる電子機器を提供することができる。すなわち、秒合わせ機能を備えることで時刻補正での待ち時間を短くすることができる。待ち時間は、例えば２つの入力部を有するものであれば最長でも４５秒程度であり、４つの入力部を有するものであれば最長でも１５秒程度である。また、加算キーや減算キーで時刻合わせをする態様やＳＥＴキーで設定を行う態様と比較すると、キーを押下する回数を減らすことができる。
【００４６】
本実施形態によれば、秒合わせには、４つの入力キー２４、２６、２８、３０が用いられる。これら４つの入力キー２４、２６、２８、３０は、上下左右に配置されている。そして、右に位置する第１の入力キー２４に１５秒の秒合わせ機能、下に位置する第２の入力キー２６に３０秒の秒合わせ機能、左に位置する第３の入力キー２８に４５秒の秒合わせ機能、及び、上に位置する第４の入力キー３０に分を１進めるかつ００秒の秒合わせ機能が割り当てられている。この配置及び秒の割り当ては、アナログ時計の秒針の１５秒、３０秒、４５秒、００秒の位置に倣っているため、視覚的に非常にわかりやすい。つまり、ユーザーにとって直感的にわかりやすい。したがって、感覚的に受け入れやすい時計補正機能となっている。
【００４７】
本実施形態では、時刻合わせ専用の入力キーではなく、電卓等の既存のキー（テンキーなど）を利用して時刻補正をすることで、電卓等に搭載しやすい時刻補正機能とすることができる。
【００４８】
また、第５の入力キー３２及び第６の入力キー３４で別途分を加算したり減算したりして分合わせをすることも可能である。したがって、秒合わせとともに分合わせが必要な場合にも広く適用することが可能である。
【００４９】
例えば、現在の正しい時刻が１４時１９分４６秒であるときにユーザーが時計合わせをしたいと思い立ったとする。時計モジュール１６で計時されている現在の時刻は１４時１９分ｚｚ秒であるとする（ここでのｚｚは００から４５までの任意の数字）。この場合、ユーザーは、第５の入力キー３２を押下して分を１進めた後に現在の正しい時刻である１４時１９分４６秒から１４秒待って第４の入力キー３０、すなわち「８」キーを押下する。これにより、時計モジュール１６で計時されている時刻が１４時２０分００秒に調整される。第５の入力キー３２の押下のタイミングは、第４の入力キー３０の押下の前であっても後であってもよい。
【００５０】
なお、００秒アジャスト処理では、ＣＰＵ１０は、時計モジュール１６で計時される時間の秒の値を００にする処理を実行するとして説明したが、第４の入力キー３０を押下したときの秒の値が３０〜５９のときには、時計モジュール１６で計時される時間の秒の値を００にする処理をし、かつ分の値を１進める処理をしてもよい。すなわち、００秒アジャスト処理では、ＣＰＵ１０は、時計モジュール１６の内部に保持される秒の値を００に調整、かつ、分の値を１進める調整をして、調整された値を表示装置２２に表示させるための信号をＤＤ２０に出力してよい。
【００５１】
このような００秒アジャスト処理を備える電子機器１において、例えば、現在の正しい時刻が１４時１９分４６秒であるときにユーザーが時計合わせをしたいと思い立ったとする。時計モジュール１６で計時されている現在の時刻は１４時１９分ｚｚ秒であるとする（ここでのｚｚは１６から４５までの任意の数字）。この場合、ユーザーは、１４秒待って１４時２０分００秒に第４の入力キー３０、すなわち「８」キーを押下する。第４の入力キー３０を押下したときの時計表示は１４時１９分ｚｚ秒（ここでのｚｚは３０から５９までの任意の数字）であるから、時計モジュール１６で計時されている時刻が１４時２０分００秒に調整される。つまり、ユーザーが第５の入力キー３２を押下しなくても分が１進められる。
【００５２】
例えば、現在の正しい時刻が１４時１９分４６秒であるときにユーザーが時計合わせをしたいと思い立ったとする。時計モジュール１６で計時されている現在の時刻は１４時１９分ｚｚ秒であるとする（ここでのｚｚは４７から５９までの任意の数字）。この場合、ユーザーは、第６の入力キー３４を押下して分を１戻した後に現在の正しい時刻１４時１９分４６秒から１４秒待って第１の入力キー２４、すなわち「４」キーを押下する。第１の入力キー２４を押下したときの時計表示は１４時２０分ｚｚ秒（ここでのｚｚは０１から１３までの任意の数字）であるから、時計モジュール１６で計時されている時刻が１４時２０分００秒に調整される。
【００５３】
このように、１５秒、３０秒、４５秒、００秒かつ１分進める、の４通りの時刻合わせを用意することでも、１５秒未満の待ち時間で時刻合わせを行うことが可能となる。
【００５４】
時計モジュール１６で計時される現在の時刻の分があっていれば、第１の入力キー２４による補正では、１５秒遅れているものから４４秒早いものまでの１５秒アジャスト処理が可能である。第２の入力キー２６による補正では、３０秒遅れているものから２９秒早いものまでの３０秒アジャスト処理が可能である。第３の入力キー２８による補正では、４５秒遅れているものから１４秒早いものまでの４５秒アジャスト処理が可能である。第４の入力キー３０による補正では、３０秒遅れているものから２９秒早いものまでの００秒アジャスト処理が可能である。このような設定であれば、時計表示が遅れている場合の時刻合わせに都合がよい。したがって、１回のキー操作で最大４５秒程度の秒のずれを補正することができる。
【００５５】
なお、１５秒アジャスト処理、３０秒アジャスト処理、４５秒アジャスト処理においても、上述のように、第１の入力キー２４、第２の入力キー２６又は第３の入力キー２８を押下したときの秒の値に応じて、それぞれ、時計モジュール１６で計時される時間の秒の値を１５、３０、４５にする処理をし、かつ分の値を１進める処理をしてもよい。
【００５６】
電子機器１として時計表示機能付き電卓を例示したが、電子機器はこれに限定されない。例えば、図４に示されるような電子機器１ａであってもよい。電子機器１ａは、電子辞書であり、時計表示機能を有している。
【００５７】
電子機器１ａは、図４には示されないが、電子機器１と同様に、ＣＰＵ、ＲＡＭ、ＲＯＭ及び時計モジュールとを有している。また、入力装置１８ａ及び表示装置２２ａを有している。入力装置１８ａは、第１の入力キー２４ａと、第２の入力キー２６ａと、第３の入力キー２８ａと、第４の入力キー３０ａと、第５の入力キー３２ａと、第６の入力キー３４ａとを有している。第１の入力キー２４ａ、第２の入力キー２６ａ、第３の入力キー２８ａ及び第４の入力キー３０ａは、それぞれ、中心に位置している円形の入力キーの向かって右、下、左、上に位置している。すなわち、これら入力キーもまた、上下左右に十字状に配置されている。
【００５８】
このように、テンキー以外の入力装置１８ａを含む電子機器１ａにおいても、上述のような時計補正を行うことが可能である。
【００５９】
電子機器は、時計表示機能付きの電卓、電子辞書のほか、プッシュホン、ゲーム機などであってもよい。すなわち、４つのキー又はボタンなどの入力部を有する電子機器に表示された時計の時刻合わせに、本実施形態の概念が適用可能である。特に、上下左右に配置された４つの入力部であれば、直感的に操作しやすい時計補正機能を提供することができる。
【００６０】
本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００６１】
以下に、本出願の出願当初の特許請求の範囲に記載された発明を付記する。
［１］第１の入力部、第２の入力部、第３の入力部及び第４の入力部のうちの２以上の入力部を含む入力装置と、
時、分、秒を計時する計時回路と、
前記入力装置からの入力を受け付け可能で、前記計時回路からの出力に基づく時計表示を出力する制御部と、
を具備し、
前記制御部は、時刻合わせを受け付け可能な動作モードであるとき、
前記第１の入力部、前記第２の入力部、前記第３の入力部及び前記第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、電子機器。
［２］前記制御部は、時刻合わせを受け付け可能な動作モードであるとき、
前記第１の入力部からの入力を受け付けたことに応じて、前記計時回路の秒を「１５」に補正し、
前記第２の入力部からの入力を受け付けたことに応じて、前記計時回路の秒を「３０」に補正し、
前記第３の入力部からの入力を受け付けたことに応じて、前記計時回路の秒を「４５」に補正し、
前記第４の入力部からの入力を受け付けたことに応じて、前記計時回路の秒を「００」に補正する、［１］に記載の電子機器。
［３］前記第１の入力部、前記第２の入力部、前記第３の入力部及び前記第４の入力部を備え、
前記第１の入力部、前記第２の入力部、前記第３の入力部及び前記第４の入力部は、それぞれ、右、下、左、上に十字状に配置されている、［１］又は［２］に記載の電子機器。
［４］前記電子機器は、時計表示機能と、前記時計表示機能以外のメイン機能とを有し、
前記第１の入力部、前記第２の入力部、前記第３の入力部及び前記第４の入力部は、前記メイン機能では秒の補正の入力とは異なる入力に用いられる、［１］乃至［３］のいずれか１に記載の電子機器。
［５］前記制御部は、前記第４の入力部からの入力を受け付けたことに応じて、前記計時回路の分を１進めさせる、［１］乃至［４］のいずれか１に記載の電子機器。
［６］前記入力装置は、テンキーである、［１］乃至［５］のいずれか１に記載の電子機器。
［７］第１の入力部、第２の入力部、第３の入力部及び第４の入力部のうちの２以上の入力部と、計時回路とを有し、時計機能を備える、電子機器の時刻合わせの方法であって、
時刻合わせを受け付け可能な動作モードであるとき、
前記第１の入力部、前記第２の入力部、前記第３の入力部及び前記第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、電子機器の時刻合わせ方法。
［８］コンピュータに、
計時回路を有し、時計機能を備える電子機器が時刻合わせを受け付け可能な動作モードであるとき、
前記電子機器の第１の入力部、第２の入力部、第３の入力部及び第４の入力部のうちの２以上の入力部の各入力部からの入力を受け付けたことに応じて、前記計時回路の秒を、「１５」、「３０」、「４５」及び「００」のうち、入力を受け付けた前記各入力部に対応する値に補正する、ことを実行させるためのプログラム。
【符号の説明】
【００６２】
１…電子機器、１０…ＣＰＵ、１２…ＲＡＭ、１４…ＲＯＭ、１６…時計モジュール、１８…入力装置、２０…表示駆動部（ＤＤ）、２２…表示装置、２４…第１の入力キー、２６…第２の入力キー、２８…第３の入力キー、３０…第４の入力キー、３２…第５の入力キー、３４…第６の入力キー、３６…ＡＣキー、３８…時計キー。
【図１】
2019168325.tif 000003
【図２Ａ】
2019168325.tif 000004
【図２Ｂ】
2019168325.tif 000005
【図３】
2019168325.tif 000006
【図４】
2019168325.tif 000007